【事件の表示】
　平成　４年特許願第１０９１２３号「田植機」拒絶査定不服審判事件〔平成　５年１０月２６日出願公開、特開平　５−２７６８１６〕について、次のとおり審決する。
【結　論】
　本件審判の請求は、成り立たない。
【理　由】
１，手続きの経緯・本願発明
　本願は、平成４年４月３日の出願であって、その請求項１に係る発明は、平成１４年１０月２８日付けで全文補正された明細書及び出願当初の図面の記載からみて、本願の特許請求の範囲の請求項１に記載された次のとおりのものである。
　【請求項１】苗植付部４本体に対し取付けプレート２６ａ，２７ａを介して前後回動自在に取付け支持される整地フロート２６，２７と、整地フロート２６，２７の側方整地跡に苗載せ台２８の下端部より取出した苗を植え付けるようにした苗植付け体３０と、施肥装置５により繰り出された肥料が施肥される施肥溝を開溝する施肥管７の終端部に連結した開溝器７ａとを苗植付部４に備える田植機において、該苗載せ台２８の下端部よりも前方側に施肥管７の終端部及び開溝器７ａを設け、苗載せ台２８の下端部よりも後方側に苗植付け体３０を設けると共に、前記整地フロート２６，２７の取付けプレート２６ａ，２７ａを、機体側面視で苗植付け体３０による苗植付け位置の前方側で開溝器７ａの後方側に設けて、取付けプレート２６ａ，２７ａと苗植付け位置との間の長さＴと取付けプレート２６ａ，２７ａと開溝器７ａとの間の長さＴとが等しくなるように設け、機体側面視で苗植付け体３０による苗植付け位置より後側に整地フロート２６，２７の後端を配置すると共に、該苗植付け位置から整地フロート２６，２７の後端までの長さＬを３０ｃｍ以下に構成したことを特徴とする田植機。（以下「本願発明」という）
　
２，引用刊行物に記載された発明及び本願発明との比較・検討
　これに対して、原査定の拒絶の理由に引用された、実願平２−７０９５８号（実開平４−２８０１１号）のマイクロフイルム（以下、「引用刊行物１」という）及び特開昭６３−２７９７１０号公報（以下、「引用刊行物２」という）には、次の事項が記載されていると認められる。
　
　引用刊行物１（実願平２−７０９５８号（実開平４−２８０１１号）のマイクロフイルム）の　
　明細書第４頁第１行−第５頁第２行には、　
「また、図中（１５）は多条植え用の苗載台（１６）並びに複数の植付爪（１７）などを具備する植付部であり、前高後低の前傾式苗載台（１６）を下部レール（１８）及びガイドレール（１９）を介して植付ケース（２０）に左右往復摺動自在に支持させると共に、植付アーム（２１）並びにロータリケース（２２）を介して植付ケース（２０）に前記植付爪（１７）を取付ける。そして前記植付ケース（２０）の下方に中央及び左右の植付用均平フロート（２３）を、植付深さ調節リンク（２５）などを介して支持すると共に、前記植付ケース（２０）を植付ミッションケース（２７）に連設し、トップリンク（２８）及びロワーリンク（２９）を含む三点リンク機構（３０）を用いて田植機（１）後側にこの植付ミッションケース（２７）を介して植付部（１５）を連結させ、植付部（１５）を昇降させる油圧シリンダ（３１）を田植機（１）後部とトップリンク（２８）との間に介設させ、前記油圧シリンダ（３１）の伸縮動作で植付部（１５）を昇降させる一方、前記植付部（１５）を降下させてフロート（２３）を着地させ、左右に往復移動させる苗載台（１６）から一株分の苗を植付爪（１７）によって順次取出して植えつけるように構成している。」と、
　明細書第５頁第７行−第２０行には、　
「第４図にも示す如く、前記植付部（１５）の後側に側条施肥機（３７）及び薬剤散布機（３８）を前後に配設するもので、施肥機（３７）の肥料タンク（３９）及び肥料繰出ケース（４０）を、植付ケース（２０）に立設固定する支柱（４１）上端に固定支持させている。前記側条施肥機（３７）の肥料タンク（３９）は２条分を１組としたもので、１つの肥料タンク（３９）に左右２条用の肥料繰出ケース（４０）（４０）を備え、フロート（２３）底面の左右両側に装着させる作溝器（４２）後側の肥料放出体（４３）に繰出ホース（４４）を介し前記繰出ケース（４０）の肥料繰出口を接続させ、前記作溝器（４２）により形成される側条施肥溝内に前記肥料タンク（３９）内の肥料を順次落下させ、田植作業と同時に施肥作業を行うように構成している。」と、記載されている。
　また、全体側面図である第２図及び要部側面図である第４図には、　
「苗載台（１６）の下端部の近傍に作溝器（４２）及び肥料放出体（４３）を設け、苗載台（１６）の下端部よりも後方側にロータリケース（２２）及び植付アーム（２１）並びに植付爪（１７）を設けたこと」及び「植付深さ調節リンク（２５）とフロート（２３）とがプレートを介して枢支された部分を、機体側面視で作溝器（４２）の後方側に設けたこと」並びに「植付爪（１７）よりも後側にフロート（２３）の後端を配置したこと」が示されているから、
　
　引用刊行物１には、
　「植付ケース（２０）に対し植付深さ調節リンク（２５）とプレートを介して前後回動自在に支持される中央及び左右の植付用均平フロート（２３）と、苗載台（１６）の下端部より取出した苗を植えつけるようにした植付爪（１７）と、側条施肥機（３７）により繰り出された肥料が施肥される施肥溝を開溝する作溝器（４２）と、作溝器（４２）後側の肥料放出体（４３）に接続させた繰出ホース（４４）とを植付部（１５）に備える田植機（１）において、苗載台（１６）の下端部の近傍に肥料放出体（４３）及び作溝器（４２）を設け、苗載台（１６）の下端部よりも後方側に植付爪（１７）を設けると共に、フロート（２３）の植付深さ調節リンク（２５）との支持部分を、機体側面視で作溝器（４２）の後方側に設け、機体側面視で植付爪（１７）よりも後側にフロート（２３）の後端を配置した田植機。」（以下「引用発明１」という）が、記載されていると認められる。　
　
　引用刊行物２（特開昭６３−２７９７１０号公報）の
　公報第２頁右上欄第６行−左下欄第６行には、　
「〔実施例〕
  以下、本発明の実施例の１つである乗用型田植機について図面に基づいて説明する。
  第２図に示すように植付ミッション（１）後部で回転駆動される植付爪（２）、植付ミッション（１）のガイドレール（３）上をスライド駆動される苗のせ台（４）等によって苗植付装置が構成され、この苗植付装置が四連リンク機構（５）を介して昇降自在に機体（図外）に連結されている。
  前記苗植付装置は施肥装置を備えており、この施肥装置は同図に示すように肥料貯留用のタンク（７）、タンク（７）内の肥料を間欠的に繰出す繰出しロール（１１）を内装した繰出し部（８）とから構成されている。・・・これにより肥料が間欠的に繰出されてホース（９）を通り作溝器（１０）によって圃場に作られた溝に送り込まれて行くのである。」と、
　公報第２頁左下欄第１６行−右下欄第１１行には、　
「 次に前記作溝器（１０）を備えたフロート（６）について詳述すると第１図及び第２図に示すように、植付ミッション（１）下面に設けられたブラケット（１６）に支持軸（１７）が苗植付装置左右方向に架設され、軸芯方向に摺動自在で、且つ、自身の軸芯周りに回動自在に支持されている。前記支持軸（１７）の複数箇所から後方に第１支持アーム（１８）が延出されると共に、この第１支持アーム（１８）端部の横軸芯（P１）周りに揺動自在にフロート（６）が取付けられている。又、支持軸（１７）から前方に第２支持アーム（１９）が延出されると共に、フロート（６）前部に設けられた案内部材（２０）の長穴に前記第２支持アーム（１９）端部が係入されている。そして、前記フロート（６）に作溝器（１０）が板状の溝切り板（２１）と共に固定されているのである。」と、
　公報第３頁左上欄第４行には、　
「植付苗（Ｗ）」と、記載されている。
　また、フロート周りの平面図である第１図及び苗植付装置の側面図である第２図には、　
「フロート（６）と第１支持アーム（１８）端部の横軸芯（P１）との取付けは板状体によって行われていること」、植付苗（Ｗ）の前方にはフロート（６）が位置し、即ち「フロート（６）の側方整地跡に苗を植え付けること」、「苗のせ台（４）の下端部の近傍には、ホース（９）の終端部に連結した作溝器（１０）及び植付爪（２）が位置していること」、横軸芯（P１）及び作溝器（１０）は植付苗（Ｗ）の前方に位置し、即ち横軸芯（P１）及び作溝器（１０）は苗植え付け位置の前方に位置し、結局「フロート（６）の取付けプレート及び作溝器（１０）を機体側面視で苗植え付け位置の前方側に設けていること」、フロート（６）の後端より前方に植付苗（Ｗ）が位置し、即ち「機体側面視で苗植え付け位置より後側にフロート（６）の後端を配置していること」が、それぞれ示されているから、
　
　引用刊行物２には、
　「植付ミッション（１）下面に対し取付けプレートを介して前後揺動自在に取付けられるフロート（６）と、フロート（６）の側方整地跡に苗を植え付けるようにした植付爪（２）と、施肥装置により繰出された肥料が送り込まれる溝を作るホース（９）の終端部に連結した作溝器（１０）とを苗植付装置に備える田植機において、苗のせ台（４）の下端部の近傍には、ホース（９）の終端部に連結した作溝器（１０）及び植付爪（２）を設けると共に、フロート（６）の取付けプレート及び作溝器（１０）を機体側面視で苗植え付け位置の前方側に設けて、機体側面視で苗植え付け位置より後側にフロート（６）の後端を配置した田植機。」（以下「引用発明２」という）が、記載されていると認められる。
　　
　本願発明と引用発明１とを比較する。
　引用発明１の「植付ケース（２０）」、「プレート」、「中央及び左右の植付用均平フロート（２３）」、「苗載台（１６）」、「苗」、「側条施肥機（３７）」、「肥料」、「施肥溝」、「作溝器（４２）」、「植付部（１５）」、「田植機（１）」は、本願発明の「苗植付部４本体」、「取付けプレート２６ａ，２７ａ」、「整地フロート２６，２７」、「苗載せ台２８」、「苗」、「施肥装置５」、「肥料」、「施肥溝」、「開溝器７ａ」、「苗植付部４」、「田植機」にそれぞれ相当する。そして、引用発明１の「植付爪（１７）」と本願発明の「苗植付け体３０」とを比較しても田植機としての機能及び作用から見て技術的な差異は認められないから、両者の一致点及び相違点は次のとおりである。
　
　一致点
　苗植付部本体に対し取付けプレートを介して前後回動自在に取付け支持される整地フロートと、苗載せ台の下端部より取出した苗を植え付けるようにした苗植付け体と、施肥装置により繰り出された肥料が施肥される施肥溝を開溝する開溝器とを苗植付部に備える田植機において、苗載せ台の下端部よりも後方側に苗植付け体を設けると共に、機体側面視で苗植付け体による苗植付け位置より後側に整地フロートの後端を配置した田植機
　
　相違点
　（Ａ）苗植付け体が、本願発明では整地フロートの側方整地跡に苗を植え付けるのに対し、引用発明１では植え付け位置が明らかでない点
　（Ｂ）開溝器を、本願発明では施肥管の終端部に連結したのに対し、引用発明１では作溝器の後側に肥料放出体を設けた点
　（Ｃ）本願発明では苗載せ台の下端部よりも前方側に施肥管の終端部及び開溝器を設けたのに対し、引用発明１では開溝器と苗載せ台の下端部との位置関係が明らかでない点
　（Ｄ）本願発明では、整地フロートの取付けプレートを、機体側面視で苗植付け体による苗植付け位置の前方側で開溝器の後方側に設けて、取付けプレートと苗植付け位置との間の長さＴと取付けプレートと開溝器との間の長さＴとが等しくなるように設けたのに対し、引用発明１ではそのような構成を有するかどうか不明である点
　（Ｅ）本願発明では、苗植付け位置から整地フロートの後端までの長さＬを３０ｃｍ以下に構成したのに対し、引用発明１では、苗植付け位置から整地フロートの後端までの長さが不明である点
　
　そこで、上記相違点について検討する。
　相違点（Ａ）について
　苗植付け体が整地フロートの側方整地跡に苗を植え付けることは、引用発明２に記載されているように当該技術分野においては周知である。
　相違点（Ｂ）について
　引用発明２には、ホース（本願発明の「施肥管」に相当する）の終端部に連結した作溝器（本願発明の「開溝器」に相当する）が記載されており、この構成を引用発明１に適用することは当業者が容易になし得ることである。
　相違点（Ｃ）について
　引用刊行物２には、本願発明の「苗載せ台の下端部の近傍に施肥管の終端部及び開溝器を設けた」ことに相当する事項が記載されており、施肥管及び開溝器をどのように配置するかは当業者が当然に考慮すべき設計上の事項であるから、相違点（Ｃ）に記載の構成とすることは当業者が容易になし得ることである。
　相違点（Ｄ）について
　引用刊行物２には、本願発明の「整地フロートの取付けプレート及び開溝器を、機体側面視で苗植付け体による苗植付け位置の前方側に設けた」ことに相当する事項が記載されている。そして、開溝器と取付けプレートとの前後関係をどのようにするかは当業者が適宜考慮すべき設計上の事項であるから、整地フロートの取付けプレートを、機体側面視で開溝器の後方側に設けて、相違点（Ｄ）に記載された前後関係とすることは当業者が容易になし得ることである。
　次に、各構成部材間の長さについて検討すると、本願の明細書の【０００５】及び【００１９】並びに【００２２】には「取付けプレートとロータリ式苗植付け体による苗植付け位置との間の長さＴと、取付けプレートと開溝器との間の長さＴとを等しくしてあるので、整地フロートが取付けプレートを中心に前後回動したとき、ロータリ式苗植付け体による苗植付け深さの変動と、開溝器により開溝された施肥溝に施肥管から施肥される施肥深さの変動とが両方とも少なくなる」旨の記載がされているが、苗植付け深さ及び施肥深さの変動に影響を及ぼすものは、【０００２】及び【０００３】の「整地フロートを苗植付部本体に対し前後回動自在に取付け支持する取付けプレートが、前後方向において苗植付け位置と略同位置に設けられることは、整地フロートが取付けプレートを中心に前後回動したときの苗植付け深さの変動が少ないという点で有利である」旨の記載、及び「開溝器が取付けプレートから前方に離れて配置されることになって整地フロートの前後回動によって生じる施肥溝深さの変動による施肥深さの変動を少なくするという点では有利ではない」旨の記載からみて、苗植付け深さ及び施肥深さの変動を少なくするためには、上記の「長さＴと長さＴとを等しく」することではなく、「取付けプレートからの長さ」を少なくすることによるものと理解されるから、上記の「長さＴと長さＴとを等しく」することにより格別の効果が得られるものとは認められない。
　したがって、相違点（Ｄ）に記載の構成とすることは当業者が容易になし得る設計事項に過ぎないものである。
　相違点（Ｅ）について
　植付け可能な未苗植えスペースを少なくすること等を考慮し、苗植付け位置から整地フロートの後端までの長さＬを３０ｃｍ以下に構成することは当業者が容易になし得る設計上の事項である。
　
　そして、引用発明１及び２は、施肥装置を備えた田植機において共通しているから、これらの技術を組み合せ、本願発明の構成とすることは当業者が容易になし得ることである。
　
３，むすび
　したがって、本願の請求項１に係る発明は、上記の拒絶の理由に示された引用刊行物１及び２に記載された発明に基づいて、当業者が容易に発明をすることができたものであるから、特許法第２９条第２項の規定により、特許を受けることができない。
　よって、結論のとおり審決する。